(57)【特許請求の範囲】
【請求項１】
塵芥収集車のテールゲートの後面に開口した塵芥投入口を備え、該塵芥投入口の両側に沿って上下方向に延在して設けた一対のガイドレールに沿って移動可能な投入口ドアにより上記塵芥投入口を開閉するようにした塵芥収集車の投入口ドア開閉装置において、
上記投入口ドアの下端部に上記一対のガイドレールに係合して投入口ドアと一体に移動可能に設けた一対のガイド部材と、
上記テールゲートの外側面に回動可能に軸支され、上記投入口ドアが開放状態にあるときに、該投入口ドアの把手の高さ位置よりも下方に延在する操作レバーと、
上記操作レバーと一体に回動可能に設けられ、上記ガイドレールに沿って移動する上記ガイド部材と係合して上記投入口ドアを開放状態に保持する係合位置と該係合を解除する係合解除位置との間で移動するロック部材と、
上記操作レバー及びロック部材を、上記係合位置に回動付勢する回動付勢手段と、
上記回動付勢手段による上記操作レバー及びロック部材の回動を規制して、上記ロック部材を上記係合位置に位置決めする回動規制部材とを有し、
上記投入口ドアを上方に移動させてガイド部材を上記ロック部材に係合させることにより上記投入口ドアを開放状態にロックし、該投入口ドアの開ロック状態を、上記操作レバーを上記回動付勢手段の回動付勢力に抗して回動させることにより解除するように構成したことを特徴とする塵芥収集車の投入口ドア開閉装置。
【請求項２】
上記投入口ドアの下端部に上記テールゲートの内側面に当接するように弾性部材により付勢して軸方向に移動可能に設けたプッシュロッドと、
該プッシュロッドと係合可能に上記テールゲートの内側面の下部に設けたストッパ部材と、
上記プッシュロッドに結合して上記投入口ドアの把手に枢着したハンドルとを有し、
上記プッシュロッドを上記ストッパ部材に係合させて上記投入口ドアを閉塞状態にロックし、該投入口ドアの閉ロック状態を、上記ハンドルの操作により上記プッシュロッドを上記弾性部材の付勢力に抗して移動させることにより解除するように構成したことを特徴とする請求項１に記載の塵芥収集車の投入口ドア開閉装置。
【請求項３】
上記テールゲートの外側面に回動可能に設けられ、上記投入口ドアの上部を支持するアームと、上記投入口ドアの開ロック状態を解除した際に該投入口ドアが自重で下降するように、上記アームを介して上記投入口ドアを開放する方向に付勢する付勢手段とを有することを特徴とする請求項２に記載の塵芥収集車の投入口ドア開閉装置。
【請求項４】
上記ガイド部材は、
対応するガイドレールに沿って転動するローラからなることを特徴とする請求項１〜３のいずれか１項に記載の塵芥収集車の投入口ドア開閉装置。
【発明の詳細な説明】
【０００１】
【発明の属する技術分野】
本発明は、塵芥収集車のテールゲートに設けられた投入口ドア開閉装置に関する。
【０００２】
【従来の技術】
一般に塵芥収集車は、図５に概要を示すように、塵芥収容箱１０１の後部にヒンジ１０２を介してテールゲート１０３が連結され、このテールゲート１０３の後面に塵芥投入口が開口し、該塵芥投入口に設けられた投入口ドアを持ち上げて塵芥投入口を開き、塵芥投入口からテールゲート１０３内に投入された塵芥を回転板１０６と押込板１０７を備えた塵芥積込装置１０５によって塵芥収容箱１０１内に積み込むように構成されている。
【０００３】
この塵芥投入口を開閉する投入口ドア開閉装置としては、例えば実開昭５８−１４７９０３号公報に開示され、かつ図６及び図７に示すものがある。図６は概要を示す側面図であり、図７は後面図であって、投入口ドア１１０の下部側方に軸方向に移動可能にプッシュロッド１１１を設け、このプッシュロッド１１１を投入口の両側に沿って上下方向に延在するガイドレール１１２（一方のみ図示）に摺動可能に係合させて投入口ドア１１０を案内すると共に、ガイドレール１１２の上部及び下部においてストッパ１１３に係止させて投入口ドア１１０を開放状態及び閉塞状態にロックするようにし、そのロック状態をプッシュロッド１１１に係合して投入口ドア１１０の把手１１５に設けたハンドル（図示せず）を操作することで解除するようにしている。
【０００４】
また、他の投入口ドア開閉装置としては、実開平６−５３５１１号公報に開示され、かつ図８に要部側面図を示し、図９に投入口ドアの下部水平断面の要部を示すように、投入口ドア１２０の内面の両側端に一対のローラ１２１を設け、これらローラ１２１を投入口の両側に沿って上下方向に延在するガイドレール１２３に沿って転動させて投入口ドア１２０を案内すると共に、投入口ドア１２０の内面の側端に軸方向に移動可能にプッシュロッド１２４を設け、このプッシュロッド１２４をテールゲート側板の上部及び下部においてストッパ１２５に係止させて投入口ドア１２０を開放状態及び閉塞状態にロックするようにし、そのロック状態をプッシュロッド１２４にワイヤーケーブル１２６を介して結合して投入口ドア１２０の把手１２７に設けたハンドル１２８を操作することで解除するようにしたものがある。
【０００５】
【発明が解決しようとする課題】
上記従来の塵芥収集車の投入口ドア開閉装置は、いずれも作業者が投入口ドアの把手に設けたハンドルを操作して投入口ドアのロック状態を解除し、その状態で投入口ドアを開閉操作するようになっている。
【０００６】
これに起因して、投入口ドアを上昇させて塵芥投入口の開放位置にロックした状態では、把手が高い位置にあって、作業者によってはロック解除操作を困難にする場合がある。特に、テールゲートが車高の高いシャシーに架設されている場合や、投入口の後方に塵芥を載置するためのに張り出した塵芥載置装置が付設されている場合には、地上からでは把手に手が届かないために、作業者はテールゲートに乗って把手のハンドルを操作しなければならない場合があった。
【０００７】
なお、投入口ドアを容易に開閉操作し得るものとして、例えば実開平６−８３１３号公報には、投入口ドアに電動シリンダを結合し、開閉スイッチの操作により投入口ドアを自動的に開閉するようにしたものが開示されている。
【０００８】
しかし、電動シリンダを用いる場合には、開閉スイッチを含む制御回路を要するため構成が複雑になると共に、電動シリンダ等の故障時には手動で投入口ドアを開閉操作するための対策も講じる必要があるため、コストアップを招くことになる。
【０００９】
従って、かかる点に鑑みてなされた本発明の目的は、簡単かつ安価な構成で、投入口ドアを容易に開閉操作できる塵芥収集車の投入口ドア開閉装置を提供することにある。
【００１０】
【課題を解決するための手段】
上記目的を達成する請求項１に記載の塵芥収集車の投入口ドア開閉装置の発明は、塵芥収集車のテールゲートの後面に開口した塵芥投入口を備え、該塵芥投入口の両側に沿って上下方向に延在して設けた一対のガイドレールに沿って移動可能な投入口ドアにより上記塵芥投入口を開閉するようにした塵芥収集車の投入口ドア開閉装置において、上記投入口ドアの下端部に上記一対のガイドレールに係合して投入口ドアと一体に移動可能に設けた一対のガイド部材と、上記テールゲートの外側面に回動可能に軸支され、上記投入口ドアが開放状態にあるときに、該投入口ドアの把手の高さ位置よりも下方に延在する操作レバーと、上記操作レバーと一体に回動可能に設けられ、上記ガイドレールに沿って移動する上記ガイド部材と係合して上記投入口ドアを開放状態に保持する係合位置と該係合を解除する係合解除位置との間で移動するロック部材と、上記操作レバー及びロック部材を、上記係合位置に回動付勢する回動付勢手段と、上記回動付勢手段による上記操作レバー及びロック部材の回動を規制して、上記ロック部材を上記係合位置に位置決めする回動規制部材とを有し、上記投入口ドアを上方に移動させてガイド部材を上記ロック部材に係合させることにより上記投入口ドアを開放状態にロックし、該投入口ドアの開ロック状態を、上記操作レバーを上記回動付勢手段の回動付勢力に抗して回動させることにより解除するように構成したことを特徴とする。
【００１１】
請求項１の発明によると、電動シリンダ等を用いることなく、投入口ドアを手動で開放移動させて一方のガイド部材をロック部材に係合させることにより投入口ドアを開放状態にロックでき、その開ロック状態において投入口ドアの把手よりも低い位置に延在する操作レバーを操作することで開ロック状態を解除できるので、簡単かつ安価な構成で、投入口ドアを容易に開閉操作することが可能となる。
【００１２】
請求項２に記載の発明は、請求項１の塵芥収集車の投入口ドア開閉装置において、更に、上記投入口ドアの下端部に上記テールゲートの内側面に当接するように弾性部材により付勢して軸方向に移動可能に設けたプッシュロッドと、該プッシュロッドと係合可能に上記テールゲートの内側面の下部に設けたストッパ部材と、上記プッシュロッドに結合して上記投入口ドアの把手に枢着したハンドルとを有し、上記プッシュロッドを上記ストッパ部材に係合させて上記投入口ドアを閉塞状態にロックし、該投入口ドアの閉ロック状態を、上記ハンドルの操作により上記プッシュロッドを上記弾性部材の付勢力に抗して移動させることにより解除するように構成したことを特徴とする。
【００１３】
請求項２の発明によると、投入口ドアを閉塞状態にもロックでき、その閉ロック状態を投入口ドアの把手に枢着したハンドルを操作することで容易に解除できるので、投入口ドアを開放状態及び閉塞状態に確実に保持することが可能となる。
【００１４】
請求項３に記載の発明は、請求項２に記載の塵芥収集車の投入口ドア開閉装置において、更に、上記テールゲートの外側面に回動可能に設けられ、上記投入口ドアの上部を支持するアームと、上記投入口ドアの開ロック状態を解除した際に該投入口ドアが自重で下降するように、上記アームを介して上記投入口ドアを開放する方向に付勢する付勢手段とを有することを特徴とする。
【００１５】
請求項３の発明によると、投入口ドアが付勢手段により開放する方向に付勢されているので、閉ロック状態解除後の投入口ドアの開放操作を容易に行うことができると共に、開ロック状態を解除すると投入口ドアはその自重により付勢手段による付勢力と釣り合う位置まで下降して把手が持ち易くなるので、閉塞操作も容易に行うことができるようになる。
【００１６】
請求項４に記載の発明は、請求項１〜３のいずれか１項に記載の塵芥収集車の投入口ドア開閉装置において、上記ガイド部材は、対応するガイドレールに沿って転動するローラからなることを特徴とする。
【００１７】
請求項４の発明によると、ローラがガイドレールに沿っ転動して投入口ドアを開閉するので、スムーズな開閉操作が可能となる。
【００１８】
【発明の実施の形態】
以下、本発明による塵芥収集車の投入口ドア開閉装置の実施の形態を図１乃至図４によって詳細に説明する。
【００１９】
図１は投入口ドアの開ロック状態を示す側面図、図２は同じく開ロックの解除状態を示す側面図、図３は図２の矢視Ａ方向からの側面図、図４は投入口ドアの下端部分の水平断面図である。
【００２０】
符号１は、塵芥収集車のテールゲートであって、その後面には塵芥投入用の塵芥投入口２が開口すると共に、この投入口２の両側に沿って斜め上下方向に延在して断面形状がコ字状の案内溝を有する一対のガイドレール３が、該案内溝を互いに対向するように設けられ、これらガイドレール３の案内溝に沿って塵芥投入口２を開閉するための投入口ドア４が昇降自在に設けられている。
【００２１】
投入口ドア４には、その下端部の外面中央部に把手５を設けると共に、下端部の内面両側には各々側面から突出させてガイド部材としての一対のローラ６を設け、これらローラ６を対応するガイドレール３に係合させて案内溝内を転動するようにされている。各ローラ６は、図４に一方のローラ部分を示すように、投入口ドア４に一対のブラケット７を介して固着した軸８の先端部に回転自在に設けられている。
【００２２】
テールゲート１の両側の各サイドパネル１１の外面には、各々回動自在にアーム１２を設け、これらアーム１２の回動先端部を、投入口ドア４の上端部両側に軸支された支持部材１３に回転自在に結合して、投入口ドア４をテールゲート１に昇降自在に支持する。
【００２３】
各アーム１２とサイドパネル１１との間には、付勢手段としてのスプリング１４を張設し、スプリング１４によって投入口ドア４を開放する方向、即ち上昇する方向に付勢する。なお、スプリング１４による付勢力は、投入口ドア４の把手５の高さ位置が、後述する開ロック位置よりも下方で、かつ容易に手が届く位置において、投入口ドア４の自重と釣り合うように設定する。
【００２４】
テールゲート１の一方のサイドパネル１１の外面で、投入口ドア４の開ロック位置の近傍にはピン１５を植設し、このピン１５に操作レバー１６の一端部を回動自在に枢着すると共に、操作レバー１６と一体に回動して、対応するガイドレール３の案内溝内を移動するローラ６の移動通路内に進入する係合位置と移動通路内から退避する係合解除位置との間で回動するロック部材１７を設ける。
【００２５】
これら操作レバー１６及びロック部材１７は、操作レバー１６とサイドパネル１１との間に張設した回動付勢手段としてのロックバネ１８により、ロック部材１７がローラ６の移動通路内に進入する上記係合位置方向に回動付勢し、そのロックバネ１８による回動をサイドパネル１１に設けた回動規制部材１９にロック部材１７を当接させることにより規制して、ロック部材１７をローラ６の移動通路内に進入した係合位置に位置決めするようにする。なお、操作レバー１６は、図１に示すロック部材１７による投入口ドア４の開ロック状態において、操作レバー１６の他端部が投入口ドア４の把手５の高さ位置よりも下方に延在するように設ける。
【００２６】
また、投入口ドア４の閉塞状態をロックするため、一方のサイドパネル１１側には、サイドパネル１１の内面でガイドレール３の下部近傍に閉ロック用のストッパ部材２１を設け、投入口ドア４側には、図４に示すように、その下部内面にストッパ部材２１に係合して投入口ドア４を閉塞状態にロックするためのプッシュロッド２２を設ける。
【００２７】
プッシュロッド２２は、一対のブラケット７に軸方向に移動可能で、かつ弾性部材としてのコイルバネ２３によりストッパ部材２１に係合するように弾装し、このプッシュロッド２２をワイヤケーブル２４を介して把手５に回動自在に枢着したＬ型のハンドル２５の一端部に連結して、把手５を把持するようにハンドル２５をコイルバネ２３による付勢力に抗して回動させることにより、プッシュロッド２２をストッパ部材２１から退避させて、投入口ドア４の閉ロック状態を解除するようにする。
【００２８】
このように構成された塵芥収集車の投入口ドア開閉装置によると、プッシュロッド２２がストッパ部材２１に係合している投入口ドア４の閉ロック状態から、作業者が把持５を把持してハンドル２５をコイルバネ２３の付勢力に抗して回動させると、プッシュロッド２２はストッパ部材２１から退避して閉ロック状態が解除される。その状態で投入口ドア４を上向きに押し上げると、投入口ドア４はスプリング１４の付勢力により、ローラ６がガイドレール３に沿って転動しながら上昇し、その上昇移動中において、ローラ６は係合位置にあるロック部材１７をロックバネ１８による回転付勢力に抗して押動せしめて移動通路内から退避させてロック部材１７の上側に移動する。
【００２９】
ローラ６がロック部材１７の上側に移動すると、ロック部材１７はロックバネ１８による回動付勢力によりローラ６の移動通路内に進入して係合位置に復帰して、ロック部材１７によりその後自重で下降するローラ６は係止され、投入口ドア４は図１に示すように開放状態にロックされる。
【００３０】
また、図１に示す投入口ドア４の開ロック状態から、作業者により操作レバー１６をロックバネ１８による回動付勢力に抗して車両後方に引くと、ロック部材１７は図２に示すようにローラ６の移動通路内から係合解除位置に退避して、投入口ドア４の開ロック状態が解除される。ここで、操作レバー１６は、開ロック状態での把手５の高さ位置よりも下方に設けてあるので、作業者において容易に操作することができる。
【００３１】
投入口ドア４の開ロック状態が解除されると、投入口ドア４は把手５に容易に手が届く高さまで自重により下降するので、その後、把手５を持って投入口ドア４をスプリング１４の付勢力に抗して、プッシュロッド２２がストッパ部材２１に係合する位置まで下降させれば、投入口ドア４を閉塞状態にロックすることができる。
【００３２】
このように、本実施の形態によれば、投入口ドア４の開ロック状態を解除する操作レバー１６を、開ロック状態での把手５の高さ位置よりも下方に位置するように設けたので、作業者において容易に操作することができる。また、投入口ドア４の開ロック状態の解除により、投入口ドア４を把手５に容易に手が届く高さまで自重により下降させるようにしたので、投入口ドア４の閉操作を容易に行うことができる。更に、ガイドレール３に沿ってローラ６を転動させながら投入口ドア４を昇降させるようにしたので、投入口ドア４をスムーズに開閉操作することができる。
【００３３】
なお、本発明は上記実施の形態に限定されることなく発明の趣旨を逸脱しない範囲で種々変更可能である。例えば、以上の説明では、回動付勢手段としてロックバネを用い、投入口ドアを開放方向に付勢する付勢手段としてスプリングを用いたが、これらに代えてゴムを用いることもできる。また、ガイドレールに係合して移動するガイド部材はローラに限らず、例えば投入口ドアの幅方向に延在してロッドを設け、その両端部を各々ガイドレールに係合させて案内することもできる。
【００３４】
【発明の効果】
以上説明した本発明の塵芥収集車の投入口ドア開閉装置によると、電動シリンダ等を用いることなく、投入口ドアを手動で開放移動させて一方のガイド部材をロック部材に係合させることにより投入口ドアを開放状態にロックでき、その開ロック状態において投入口ドアの把手よりも低い位置に延在する操作レバーを操作することで開ロック状態を解除できるので、簡単かつ安価な構成で、投入口ドアを容易に開閉操作することができる。
【図面の簡単な説明】
【図１】本発明による塵芥収集車の投入口ドア開閉装置の実施の形態を説明する投入口ドアの開ロック状態を示す側面図である。
【図２】同じく、開ロックの解除状態を示す側面図である。
【図３】図２の矢視Ａ方向からの側面図である。
【図４】投入口ドアの下端部分の水平断面図である。
【図５】塵芥収集車の概要を示す側面図である。
【図６】従来の塵芥収集車の投入口ドア開閉装置の概要を示す側面図である。
【図７】図６の要部後面図である。
【図８】他の塵芥収集車の投入口ドア開閉装置の概要を示す側面図である。
【図９】図８に示す投入口ドアの下端部分の水平断面図である。
【符号の説明】
１    テールゲート
２    投入口
３    ガイドレール
４    投入口ドア
５    把手
６    ローラ
７    ブラケット
８    軸
１１    サイドパネル
１２    アーム
１３    支持部材
１４    スプリング
１５    ピン
１６    操作レバー
１７    ロック部材
１８    ロックバネ
１９    回動規制部材
２１    ストッパ部材
２２    プッシュロッド
２３    コイルバネ
２４    ワイヤケーブル
２５    ハンドル
【図１】
0004330708.tif 000002
【図２】
0004330708.tif 000003
【図３】
0004330708.tif 000004
【図４】
0004330708.tif 000005
【図５】
0004330708.tif 000006
【図６】
0004330708.tif 000007
【図７】
0004330708.tif 000008
【図８】
0004330708.tif 000009
【図９】
0004330708.tif 000010